(57)【要約】【課題】蓋の本来の機能を損なうことなく、しかも容器内に入る係留部材を簡単に保持できるようにすること。【構成】ボトルや広口容器や調理用具の蓋本体１の内側に、保持可能な機能を有するホルダー部２を設け、飲料の味付けとなる例えば紅茶の葉などが入っている係留容器１００などを取り付け取り外し可能にして、保持させる。保持された部材は、脱落して容器内に入ってしまったりすることを防止できる。【選択図】図１
2006176169.tif 000002
【特許請求の範囲】
【請求項１】
ボトル、広口容器または調理器具のいずれかの容器の開口部を閉じる蓋本体と、上記開口部に面する側の一部に上記蓋本体から突出するように設けられ、上記容器内に入れられる係留部材を引っ掛けまたは挿入によって保持させる機能を有するホルダー部とを有することを特徴とする機能蓋。
【請求項２】
前記ホルダー部は、前記開口部に対向する底部と、その底部の外周から立ち上がる壁部で囲まれたキャップ空間内に収納されていることを特徴とする請求項１記載の機能蓋。
【請求項３】
前記ホルダー部の先端部は、前記開口部に対向する底部と、その底部の外周から立ち上がる壁部で囲まれたキャップ空間から突出していることを特徴とする請求項１記載の機能蓋。
【請求項４】
前記キャップ空間には、前記ホルダー部を保持するホルダー支持具が設けられ、上記ホルダー支持具からホルダー部が取り外し可能となっていることを特徴とする請求項２または３記載の機能蓋。
【請求項５】
前記ホルダー部は、複数の分割片を有し、その分割片で囲まれた保持隙間によって、前記係留部材の上端に設けられるタブ部材の保持が可能となっていることを特徴とする請求項１，２または３記載の機能蓋。
【請求項６】
前記ホルダー部は、ねじ係合によって前記蓋本体に取り付けられるねじ部材を有していることを特徴とする請求項１，２または３記載の機能蓋。
【請求項７】
前記ホルダー部は、前記蓋本体に配置された固定側磁石ホルダー留め具と、その留め具と磁気力で固定されるとともに、取り外し可能な取り外し側磁石ホルダー留め具とを有していることを特徴とする請求項１，２または３記載の機能蓋。
【請求項８】
前記ホルダー部は、複数のピン状の部材を有し、そのピン状の部材で形成される保持隙間部によって、前記係留部材の上端に設けられるタブ部を保持させることを特徴とする請求項１，２または３記載の機能蓋。
【請求項９】
前記ホルダー部は、前記キャップ空間内に押し込み固定される部材と、その部材の外れを防止する外れ防止部材とを有することを特徴とする請求項２または３記載の機能蓋。
【請求項１０】
前記ホルダー部は、前記固定される部材と前記外れ防止部材を兼ねる吸盤部を有し、その吸盤部が押し込み固定されることを特徴とする請求項９記載の機能蓋。
【請求項１１】
前記ホルダー部は、前記蓋本体の裏側に設けられた穴部に挿入片部が挿入またはビス止めで係止されていることを特徴とする請求項１，２または３記載の機能蓋。
【請求項１２】
前記ホルダー部に保持される前記係留部材を備え、その係留部材は、その上端にタブ部を有し、そのタブ部は、糸の輪状またはプラスチックスで形成されるリング状、球状若しくはシート状の何れかの形状をしていることを特徴とする請求項１から１１のいずれか１項記載の機能蓋。
【請求項１３】
請求項１から１２のいずれか１項記載の機能蓋を備える容器。
【発明の詳細な説明】
【技術分野】
【０００１】
本発明は、蓋としての機能と蓋以外の機能を共に有する機能蓋およびその蓋を装着した容器に関する。
【背景技術】
【０００２】
容器等に嵌め込む蓋の本来の目的は、内容物が漏洩したりしないように密閉させることである。したがって、密閉させるための工夫は色々されてきている。例えば、ワインボトルのようにコルクを栓として用いたり、ビールの王冠のように、金属板を折り曲げてコルク等の緩衝材を介して密閉したりする方式や、飲料入りペットボトルのようにねじのかみ合わせで密閉するものなどが見られる。
【０００３】
従来から、容器の蓋を何らかの目的を持って有効に利用しようとする試みが全くないわけではない。従来技術の一つである特許文献１（特開２００４−８３０２２号公報）には、ペットボトルの口部に着脱自在な底蓋付きの内筒部が挿入され、飲料の素を詰め込んだ内筒部をキャップ本体に対して変位可能とすることにより、内筒部に詰め込んだ飲料の素をボトル内に落下可能とするキャップが開示されている。すなわち、ここに開示されている内容は、キャップを飲料の素を入れた容器として利用するものである。
【０００４】
また特許文献２（特開２００３−２４６３６５号公報）には、お茶の葉等を収容する袋の幅を、ペットボトルの口部より小さくして用いることが開示されている。その袋の取り付け方法としては、フランジをもつ下タブに設けた穴に糸を通して、下タブを上タブに嵌め込むことが開示されている。これにより気密性とお茶の葉等がボトルの内部に落下することを防ぐことができる構造となっている。
【０００５】
最近の生活様式の変化と、食料品等の多様化等から、色々な種類の容器が利用されて食料品等が市販されている。特に簡便性から、ボトル形のポットや、広口の瓶等の容器が多く用いられている。これらの容器の蓋は、本来の機能である密閉するという働きを果たすのみとなっている。
【０００６】
現在多用されている容器には、通称ＰＥＴボトルといわれるプラスチック製のものや、特殊な用途向けに、ガラスや陶磁器の容器が用いられている。これらの容器の蓋には、金属や、プラスチックや、コルクなどが用いられ、容器本体と蓋との組み合わせは、多種多様である。例えば、プラスチックの容器本体に、プラスチック製の蓋を付けたり、アルミニウムや、鉄にめっきまたは塗装を施したものなどを蓋と利用したりしている。また、その逆の場合もある。
【０００７】
【特許文献１】特開２００４−８３０２２号公報（要約書）
【特許文献２】特開２００３−２４６３６５号公報（要約書）
【発明の開示】
【発明が解決しようとする課題】
【０００８】
しかしながら、特許文献１に開示されている内容は、飲料の素を詰め込んだ内筒部を変位させることにより、その変位量に合わせてキャップ本体の底蓋を開いて飲料をボトル中に落下させるものである。すなわち、キャップ本体そのものに詰め替え容器のような機能を持たせてあるだけである。したがって、蓋の内側に部材を設けて、その部材に他の物品例えば飲料の素となるティーバッグなどを吊して飲料成分の抽出に利用しようとする構造とは異なるものである。
【０００９】
また、特許文献２は、ティーバッグに関するもので、お茶の葉等を収納する袋の幅をボトルの口部より小さくするものである。なお、この文献２には、下タブに穴を明けてその穴の中に糸を通して上タブに固定する記載が認められる。しかし、このような方法では糸のような細いものは簡単に脱落しやすくて、完全に固定するには難がある。また、例えば市販の紅茶のティーバッグに見られるように、紙製のタブが付いているような場合は、糸だけにする必要があるので、タブをわざわざむしり取るかしなければ固定することができない。これは、蓋に加工を施さず、ティーバッグ側で対応しようとしていることに帰因すると判断される。
【００１０】
また、上述のように多様化された容器が存在する状況のなかにあっても、容器の中に入れるティーバッグなどの係留部材を簡単に保持でき、しかも容器の密閉性を維持できるようにする試みは見あたらない。さらには、弁当箱や、調理器具例えば鍋などについても同様の試みは見られない。
【００１１】
本発明は、このような課題を解決し、蓋の本来の機能を損なうことなく、しかも容器内に入る係留部材を簡単に保持できるようにした機能蓋およびその蓋を装着した容器を提供することを目的とする。
【課題を解決するための手段】
【００１２】
本発明の機能蓋は、ボトル、広口容器または調理器具のいずれかの容器の開口部を閉じる蓋本体と、開口部に面する側の一部に蓋本体から突出するように設けられ、容器内に入れられる係留部材を引っ掛けまたは挿入によって保持させる機能を有するホルダー部とを有することを特徴とする。
【００１３】
また、他の発明の機能蓋は、さらにホルダー部が、開口部に対向する底部と、その底部の外周から立ち上がる壁部で囲まれたキャップ空間内に収納されていることを特徴とする。
【００１４】
さらに、他の発明の機能蓋は、上述の発明に加えてホルダー部の先端部は開口部に対向する底部と、その底部の外周から立ち上がる壁部で囲まれたキャップ空間から突出していることを特徴とする。
【００１５】
また、他の発明の機能蓋は、上述の発明に加えてキャップ空間には、ホルダー部を保持するホルダー支持具が設けられ、ホルダー支持具からホルダー部が取り外し可能となっていることを特徴とする。
【００１６】
さらに、他の発明の機能蓋は、上述の発明に加えてホルダー部が、複数の分割片を有し、その分割片で囲まれた保持隙間によって、係留部材の上端に設けられるタブ部材の保持が可能となっていることを特徴とする。
【００１７】
また、他の発明の機能蓋は、上述の発明に加えてホルダー部が、ねじ係合によって蓋本体に取り付けられるねじ部材を有していることを特徴とする。
【００１８】
さらに、他の発明の機能蓋は、上述の発明に加えてホルダー部が、蓋本体に配置された固定側磁石ホルダー留め具と、その留め具と磁気力で固定されるとともに、取り外し可能な取り外し側磁石ホルダー留め具とを有していることを特徴とする。
【００１９】
また、他の発明の機能蓋は、上述の発明に加えてホルダー部が、複数のピン状の部材を有し、そのピン状の部材で形成される保持隙間部によって、係留部材の上端に設けられるタブ部を保持させることを特徴とする。
【００２０】
さらに、他の発明の機能蓋は、上述の発明に加えてホルダー部が、キャップ空間内に押し込み固定される部材と、その部材の外れを防止する外れ防止部材とを有することを特徴とする。
【００２１】
また、他の発明は、上述の機能蓋に加え、ホルダー部が、固定される部材と外れ防止部材を兼ねる吸盤部を有し、その吸盤部が押し込み固定されることを特徴とする。
【００２２】
さらに、他の発明の機能蓋は、上述の発明に加えて、ホルダー部が、蓋本体の裏側に設けられた穴部に挿入片部が挿入またはビス止めで係止されていることを特徴とする。
【００２３】
また、他の発明の機能蓋は、上述の発明に加えてホルダー部に保持される係留部材を備え、その係留部材は、その上端にタブ部を有し、そのタブ部は、糸の輪状またはプラスチックスで形成されるリング状、球状若しくはシート状の何れかの形状をしていることを特徴とする。
【００２４】
本発明の容器は、上述した各発明の機能蓋を有することを特徴とする。
【発明の効果】
【００２５】
本発明によれば、蓋の本来の機能を損なうことなく、しかも容器内に入る係留部材を簡単に保持できるようにした機能蓋およびその蓋を装着した容器を得ることができる。
【発明を実施するための最良の形態】
【００２６】
以下、図を用いながら本発明の実施の形態について説明する。なお、各実施の形態では、容器を図示せず蓋のみを図示するが、各実施の形態の機能蓋は、細口のボトルや広口の瓶等の容器の蓋であり、例えばＰＥＴボトルの蓋や魔法瓶のキャップや弁当箱の蓋あるいはお茶抽出用の容器の蓋等である。また、鍋やお釜ややかん等の調理器具となる容器の蓋でもある。容器内に入れられる係留部材としては、ティーバッグ等のように味付け部材が入れられた飲料の素、嗜好として脱臭効果のある活性炭の入った袋、深底の容器の内部を掃除するためのブラシ状のもの、深底の容器などを簡単に乾燥させるための吸着部材などが採用される。
【００２７】
なお、以下の説明において、キャップ空間とは、容器の開口部に対向する底部と、その底部の外周から立ち上がる壁部で囲まれた空間を指す。また、蓋本体以外の保持させる全体の機構、例えば飲料の素などを保持させる機構全体をホルダー部と言い、ホルダー部中の係留部材を保持させる部位の部材またはその部位を保持部材と言う。また、保持部材を支持している部分をホルダー本体部と言う。さらに、例えば飲料の素などを係留させる部材を係留部材と言い、ホルダー本体部とは分離して設けられた保持部材を接続させるためのつなぎの部分の部材をつなぎ部と言う。ホルダー部が接着または溶着、あるいははめ込み等によって固定される部材である通常の蓋部分を蓋本体と言うこととする。蓋本体とホルダー部をまとめて機能蓋と言うこととする。また、タブ部とは、ホルダー部に保持される係留部材の上端部分または部位を指す。例えば上述の市販の紅茶のティーバッグに付いているつまみ部分およびそれと同等の機能を果たす部分を指す。
【００２８】
本発明の第１の実施の形態は、引掛け型の機能蓋である。各種の引掛け型の機能蓋を図１から図３を用いて説明する。
【００２９】
図１（Ａ）は、引掛け型の機能蓋１Ａを示す断面の斜視図である。なお、以後の図においては、便宜上主に断面図を用いることとする。図１（Ａ）を含め各図は、容器の蓋部分のみを示している。機能蓋１Ａは、蓋本体１と、ホルダー部２とから構成されている。蓋本体１は、底部１ａと壁部１ｂとで構成される。蓋本体１の底部１ａには、板状または柱状のホルダー部２が、その端部に設けられる固着部２ａで固定されている。ホルダー部２は、キャップ空間３の中に全部収納され、キャップ空間３よりはみ出さないような形状となっている。
【００３０】
なお、図（Ａ）等では蓋本体１の底部１ａには、キャップ空間３に突出した弁状突起部１ｃが図示してあるが、これは、ボトル（図示せず、以後同じ）の開口部が嵌め込まれたときに、弁の働きをして内容物の漏洩を防止するためのものである。よって、この弁状突起部１ｃは、ボトルの密閉が確保されれば設ける必要はなく、したがって、本発明はこれに限定されるものではない。
【００３１】
ホルダー部２は、引掛け型の場合、原則としてＬ字型にされ、一方の端部が固着部２ａとされている。ホルダー部２の他方の端部となる先端側には、挿入用切込み部２ｂと、この挿入用切り込み部２ｂによって上下に分断される挟み部２ｃとが設けられている。この挟み部２ｃにホルダー部２に保持される係留部材のタブ部（詳細は後述）や他の部材が挿入可能となる。
【００３２】
挟み部２ｃの奥には、空隙を設けて保持部２ｄとしてある。挟み部２ｃは、相対する側が滑らかな曲線状を有しており、係留部材や他の部材がスムーズに挿入されるようになっている。保持部２ｄは、挿入用切込み部２ｂから挿入されたタブ部や他の部材が外れないように保持する働きをしている。ホルダー部２はキャップ空間３の中に全部収納され、キャップ空間３よりはみ出さないような形状となっている。これにより、ホルダー部２は蓋本体１に保護され、折れる危険性が減少するとともに全体として小型化とすることができる。
【００３３】
図１（Ｂ）は、引掛け型の機能蓋１Ｂを示す断面図である。この機能蓋１Ｂは、図１（Ａ）に示す機能蓋１Ａと類似しているが、ホルダー部２の固着部２ａの反対側の端部をキャップ空間３より突出させてある。このように、ホルダー部２の他方の端部をキャップ空間３より突出させることにより、係留部材を引っ掛け易くするとともにタブ部の大きなものに対応しやすくなる。
【００３４】
図１（Ｃ）は、引掛け型の機能蓋１Ｃを示す断面図である。ホルダー部２の他端は、蓋本体１に固着部２ａで固着している。固着部２ａと反対側の端部に、図１（Ａ）に示す挟み部２ｃの一方を設け、相対する側に水平部分を有する水平状挟み部２ｆを設けてある。この形状とすることにより、板状をしたタブ部や類似の部材を挿入し、保持させるのに好ましいものとなる。
【００３５】
図１（Ｄ）は、引掛け型の機能蓋１Ｄを示す断面図である。これは図１（Ｃ）に示す、挟み部２ｃと水平状挟み部２ｆの位置を逆にしたものである。これも、図１（Ｃ）同様に板状をした部材を挿入し、保持するのに好ましいものとなる。なお、図１（Ｃ）、（Ｄ）ともホルダー部２は、キャップ空間３内に収まった形状のみを図示してあるが、図１（Ｂ）のようにキャップ空間３より突出していても良い。また、図１（Ｂ）のホルダー部２は、図１（Ｃ）、（Ｄ）のように、キャップ空間３内に収まった形状としても良い。
【００３６】
図２（Ａ）は、引掛け型の機能蓋１Ｅを示す断面図である。固着部２ａで蓋本体１に固着されたホルダー部２の他方の端部に、かみ合わせ部２ｇが相対するように設けてある。このかみ合わせ部２ｇの相対する面には、凹凸部２ｈが形成され、一方の凹と他方の凸とが対向するように構成されている。図２（Ａ）では、凹凸部２ｈは二つ設けてあるが、一個でも良いし、三個以上でも良い。
【００３７】
図２（Ｂ）は、引掛け型の機能蓋１Ｆを示す断面図である。ホルダー部２の柱の部分、すなわちホルダー本体部９ａを四角形のブリッジ部２ｉとしている。そのブリッジ部２ｉを有するホルダー部２の一つの面は固着部２ａとされ、蓋本体１と固着され、ホルダー部２の下方先端、すなわちブリッジ部２ｉの平面部分がさらに下方に設けられた保持部材となる挟み部２ｃと対向している。このように、中央に四角形状の孔を有するブリッジ部２ｉを設けることにより、蓋本体１にかかる力を部分集中させることなく分散できるので、蓋本体１の破損防止の面で有利となる。
【００３８】
図２（Ｃ）は、引掛け型の機能蓋１Ｇを示す断面図である。基本的な構成は図１（Ａ）の引掛け型の機能蓋１Ａと類似している。ホルダー部２の一方の端部は、蓋本体１と固着部２ａで固着されている。ホルダー部２の柱状部分すなわちホルダー本体部９ａの部分には、弾性切り込み部２ｊを、保持部材となる挟み部２ｃには、挟み部弾性切り込み部２ｋを設けてある。この二種類の弾性切り込み部２ｊ、２ｋは、断面三角形状の切り込みで、柱状の部分や挟み部２ｃに弾力性すなわちバネ性を付与するものである。これらを設けることにより、特に平板状のタブ部などを挟みやすくするとともに、蓋本体１やホルダー部２の破損を防止する働きが生じる。
【００３９】
図２（Ｄ）は、引掛け型の機能蓋１Ｈを示す断面図である。ホルダー部２の先端の挟み部２ｃを上向きにしたもので、釣り針状となっている。挿入用切り込み部２ｂより挿入された部材は、保持部２ｄで保持される。上向きの釣り針状としたことにより、タブ部や他の部材を簡単に引っ掛けることができる。なお、図２（Ａ）、（Ｄ）では、ホルダー部２がキャップ空間３より突出しているが、図２（Ｂ）、（Ｃ）のようにキャップ空間３内に収納されるものとしても良い。また、図２（Ｂ）、（Ｃ）では、ホルダー部２がキャップ空間３に収納されているが、図２（Ａ）、（Ｄ）のようにキャップ空間３内より突出しているものとしても良い。
【００４０】
図３（Ａ）は、引掛け型の機能蓋１Ｊを示す図である。Ｌ字型のホルダー部２は、固着部２ａで蓋本体１と固定されている。このＬ字型のホルダー部２の先端部には、二つに割って割れ目形状にした挿入用切り込み部２ｂが設けられている。挿入される部材（図示せず）は、挿入用切り込み部２ｂの奥の狭くなった割れ目が終了する部位の近辺で、押し込むときの挿入力で挿入用切り込み部２ｂを変形させ、その反発力により保持される。また、挿入用切り込み部２ｂの割れ目の終了する部位の奥に、図１（Ａ）に示すような保持部２ｄを設けても良い。
【００４１】
図３（Ｂ）は、引掛け型の機能蓋１Ｋを示す図である。Ｌ字型のホルダー部２の先端部に、支点部２ｍでシーソーのように前後に振れるようになっている抑え板部２ｐが設けられている。抑え板部２ｐとホルダー部２の一部を構成する先端部には、例えば「はと目パンチのかしめ機」のかしめ部（図示せず）のように、凹部、凸部で互いに噛み合うようになって嵌合するパンチ嵌合部２ｎが設けられている。このパンチ嵌合部２ｎをかみ合わせることにより、挿入される部材（図示せず）は挟み込まれて保持される。例えば、布きれや紙のようなものを確実に保持させるのに好適である。また、このパンチ嵌合部２ｎは、洗濯挟み状のものとしても良い。
【００４２】
図３（Ｃ）は、引掛け型の機能蓋１Ｌを示す斜視断面図である。基本的な構造は、図３（Ａ）と同じであるので、相違する部分のみ説明する。ホルダー部２の先端部水平方向に、切り欠き部２ｒを有するリング状引掛け部２ｑが設けられている。このリング状引掛け部２ｑは、棒状または筒状のものを保持させるのに好ましい。また、リング状引掛け部２ｑの中央の円形孔に通じる切り欠き部２ｒを設けることにより、リング状引掛け部２ｑには弾力性を有する２本の半円形状の腕部が形成されることとなり、リング内径よりやや大きなものであってもしっかりと保持できる。なお、この切り欠き部２ｒを省略して、単なるリング状としても良い。なお、図３（Ａ）、（Ｂ）、（Ｃ）では、ホルダー部２がキャップ空間３内より突出された形となっているが、キャップ部空間３内に収納する形状としても良い。
【００４３】
本発明の第２の実施の形態は、突き刺し型の機能蓋である。各種の突き刺し型の機能蓋を、図４を用いて説明する。
【００４４】
図４（Ａ）は、突き刺し型の機能蓋２Ａを示す断面図である。ホルダー部２の他端は蓋本体１と固着部２ａで固着されている。また、ヤジリ形状をしたヤジリ形突き刺し部３ａがホルダー部２のホルダー本体部９ａのＬ字型に曲がった先端に設けられ、ヤジリ形突き刺し部３ａと連結して刀のつば部のような形状のヤジリつば部３ｂが配置されている。タブ部や他の部材等を保持させる場合、このヤジリ形突き刺し部３ａで、保持される部材を突き刺し、くびれ部３ｃで吊り下げる。なお、ヤジリつば部３ｂのさらに奥の方でタブ等を保持させて、ヤジリつば部３ｂから脱落するのをより完全に防ぐこともできる。
【００４５】
図４（Ｂ）は、突き刺し型の機能蓋２Ｂを示す断面図である。ホルダー部２の他端は蓋本体１と固着部２ａで固着されている。また、保持部材となるノコ歯形突き刺し部３ｄがホルダー部２のホルダー本体部９ａの下方端に一体的に設けられ全体としてＬ字型形状とされ、その曲がった先端がノコ歯形突き刺し部３ｄとされている。ノコ歯形突き刺し部３ｄの底部１ａに面する側には、ノコ歯と同様な形状を有するノコ歯部３ｅが設けられている。ノコ歯形突き刺し部３ｄ等で保持させる場合、このノコ歯形突き刺し部３ｃの先端で保持される部材を突き刺すことにより、保持されたものがノコ歯部３ｅの複数の山谷で引掛かかる。それにより、脱落防止がはかれる。このノコ歯部３ｅの山谷の大きさは、用途によって任意に設定することができる。
【００４６】
図４（Ｃ）は、突き刺し型の機能蓋２Ｃを示す断面図である。ホルダー部２の他端は蓋本体１と固着部２ａで固着されている。また、球形をした球状突き刺し部３ｆがホルダー部２のホルダー本体部９ａのＬ字型に曲がった先端に設けられている。ホルダー部２の一部となる球状突き刺し部３ｆは、連結部材３ｈでホルダー本体部９ａの先端部横に配置された半球状の球状先端部３ｇに連結されている。なお、球状突き刺し部３ｆと球状先端部３ｇの間は若干の隙間を設けて、連結部材３ｈが露出するように配置するのが好ましい。この連結部材３ｈは、線状をした金属または強化プラスチックスが好ましい。タブ部や他の部材等を保持させる等の場合、この球状突き刺し部３ｆの先端で保持される部材を突き刺し、球状先端部３ｇとの間にできた隙間の連結部材３ｈに引っ掛かるように保持される。これで脱落するのを防止する働きを持たせてある。
【００４７】
図４（Ｄ）は、突き刺し型の機能蓋２Ｄを示す断面図である。ホルダー部２の他端は蓋本体１と固着部２ａで固着されている。また、ホルダー部２の先端には、釣り針型にした釣り針型部３ｉを設けてある。保持部材となる釣り針型部３ｉは、柱状のホルダー本体部９ａと一体になっているので、強度を保持することができ、重量物や硬いものを保持させるのに優れている。なお、これら各種突き刺し型の機能蓋２Ａ、２Ｂ、２Ｃ、２Ｄの各ホルダー部２は、キャップ空間３内に収納されているが、キャップ空間３より突出していても良い。
【００４８】
本発明の第３の実施の形態として、ピン型の機能蓋を図５（Ａ）、（Ｂ）、（Ｃ）、（Ｄ）を用いて説明する。
【００４９】
図５（Ａ）は、ピン型の機能蓋３Ａを示す断面図である。このホルダー部２は、線状をした弾性部材４ａの各先端に球状の弾性挟み部４ｂが配置される形状となっている。ホルダー部２の本体部となる弾性部材４ａの他方の端は蓋本体１に固着部２ａで固着されている。球状の弾性挟み部４ｂ同士の間の保持部分が、タブ部や他の部材を保持する。図５（Ａ）では、２本で形成されるホルダー部２を示したが、さらに数を増やすと弾性挟み部４ｂ同士の対向する保持部分が増加し、係留部材を保持しやすくなる。例えば、一列に配置するとｎ−１（ｎはホルダー部２を構成する本体部の数）の保持部分が得られ、三角状か円周状に配置するとｎの保持部分が得られ、容易に係留部材を多数保持可能であるとともに係留部材を係留させ易くなる。
【００５０】
図５（Ｂ）はピン型の機能蓋３Ｂを示す断面図である。ホルダー部２の他端は蓋本体１と固着部２ａで固着されている。また、ピン状フック部４ｃがホルダー本体部９ａのＬ字型に曲がった先端下部に設けられている。保持部材となるピン状フック部４ｃは、線状の金属線を波形にし、先端側を球状とし、ほぼ中央が一点でホルダー本体部９ａの先端下面に接触し、後端がホルダー本体部９ａに固定されている。これにより、バネ性を与えて、保持する働きを持たせてある。このピン状フック部４ｃは、金属部材に代えて、普通の強度のプラスチックス材料を用いる場合は幅広にして強度を保持させる。また、幅を狭くまたは細くする場合は強化プラスチックス材または金属とするのが好ましい。強化プラスチックスまたは金属製とすることにより、より強いバネ力で、係留部材を保持させることが可能となる。なお、このピン状フック部４ｃは、ホルダー本体部９ａのＬ字型先端の上面に設けても良い。
【００５１】
図５（Ｃ）は、ピン型の機能蓋３Ｃを示す断面図である。ホルダー部２の他端は蓋本体１と固着部２ａで固着されている。また、これは図５（Ｂ）の変形で、対に配置されたピン状フック部４ｃがホルダー部２の柱状部分となる本体部９ａに横向きに配置されている。ピン状フック部４ｃが対になっているので、これを強化プラスチックスまたは金属とするのが好ましい。図５（Ｄ）は、ピン型の機能蓋３Ｄを示す断面図である。対に配置されたピン状フック部４ｃがホルダー部２の柱状部分となる本体部９ａに横向きに配置されている。このピン状フック部４ｃは途中でＸ字状に交錯して保持空間４ｄを形成する。ピン状フック部４ｃの各先端には、それぞれ指抑え部４ｅが設けられている。この指抑え部４ｅの先端の間隔を広げたり狭めたりすることで、保持空間４ｄの大きさを調節することができ、種々な大きさのものを保持することができる。
【００５２】
これらの図５（Ａ）の弾性部材４ａ及び図５（Ｂ）、（Ｃ）、（Ｄ）に示すピン状フック部材４ｃは、幅広のプラスチックスでも良いし、強化プラスチックスまたは金属製とすることにより、より強いバネ力得られる。なお、図５（Ａ）、（Ｂ）、（Ｃ）、（Ｄ）のホルダー部２は、キャップ空間３内に収納されていても、またキャップ空間３より突出していても良い。
【００５３】
図１の機能蓋１Ａ、１Ｂ，１Ｃ、１Ｄ、図２の機能蓋１Ｅ、１Ｆ、１Ｇ、１Ｈ、図３の機能蓋１Ｊ、１Ｋ、１Ｌ、図４の機能蓋２Ａ、２Ｂ、２Ｃおよび図５の機能蓋３Ａ、３Ｂ、３Ｃ、３Ｄの係留部材を係留または保持する部位は、曲がり角度がほぼ９０度のＬ字形状のホルダー部２の先端位置に配置されている。しかし、この角度は、必要に応じて任意の角度に変更をしても良い。また、ホルダー部２の柱の垂直部分すなわちホルダー本体部９ａを横に折り曲げたり、湾曲形としたりしても良い。
【００５４】
本発明の第４の実施の形態として、吊り下げ型の機能蓋について図６を用いて説明する。
【００５５】
図６（Ａ）は、吊り下げ型の機能蓋４Ａの断面図である。伸縮のバネ性を有するラセン部５ａが蓋本体１に固着部２ａで取り付けられている。ラセン部５ａの他方の先端にはカギ型の引掛け部５ｂが設けてある。なお、これに用いる材料は、金属が好ましいが、硬質または強化プラスチックスであっても差し支えない。このようにホルダー部２をラセン部５ａと引掛け部５ｂとから構成することにより、伸縮による揺動性が生じ、引っ掛け、係留または保持される部材、例えば飲料の味付けとなるティーバッグなどからの飲料成分抽出には有効となる。なお、ラセン部５ａの先端に設けられる部材はカギ型の引掛け部５ｂではなく、上述した各ホルダー部２としたり、後述のホルダー部２としたりしても良い。
【００５６】
図６（Ｂ）は、吊り下げ型の機能蓋４Ｂの断面図である。この機能蓋４Ｂは、図４（Ｃ）に示したものと類似の小球を利用している。ホルダー部２の他端は、蓋本体１と固着部２ａで固着されている。ホルダー本体部９ａとなる柱状部分の先端に球形の保持球状部５ｃが、連結部材５ｆで二個が連結されて設けられている。この連結部材５ｆは金属または例えばガラス繊維入りの強化プラスチックスの線状の部材が好ましい。二つの保持球状部５ｃの間は、若干の隙間を設けるようにして、保持させやすいようにしてある。
【００５７】
ホルダー本体部９ａと保持球状部５ｃとは、連結部５ｄで保持球状部５ｃを覆うようにして連結してある。これは、タブ部や他の部材を保持させる部位が二つの保持球状部５ｃの隙間に確実に納まるようにするためである。この機能蓋４Ｂは、構造が簡単で、係留部材の上端となる糸の輪を取り付け易い利点がある。なお、保持球状部５ｃは球形で表示してあるが、これは例示であって球形にこだわらず多面体のものであっても良い。
【００５８】
図６（Ｃ）は、吊り下げ型の機能蓋４Ｃの断面図である。ホルダー部２の他端は蓋本体１と固着部２ａで固着されている。ホルダー本体部９ａとなる柱状部分の先端に保持部材となる弾性Ｔ字型構成部材５ｇが、水平方向に向かい合って設けられている。図６（Ｃ）では、弾性Ｔ字型構成部材５ｇが二個だけで構成される例を図示してあるが、必要に応じ三個以上としても良い。この柱状部分で向かい合って設けられている弾性Ｔ字型構成部材５ｇは、容器本体が例えば円筒形のボトルの場合、２つの弾性Ｔ字型構成部材５ｇの合計長をその口径の直径より長くしてある。この弾性Ｔ字型構成部材５ｇは、ホルダー本体部９ａと接触している部分を中心として折り曲げるようにして変形させ、ボトル（図示せず）に挿入すると、弾性力で元に広がって復元し、ボトルの壁に引っ掛かるようになっている。これは、機能蓋４Ｃが紛失することを防止する働きも有する。
【００５９】
なお、弾性Ｔ字型構成部材５ｇの合計長は、ボトルの内径に引っ掛かる長さを有していればよい。したがって、図６（Ｃ）に示してあるような水平ではなくて、例えば「への字」型の下向き、または「逆への字」型の上向きの角度をつけても良い。また、このように角度をつけることでボトル等に挿入しやすくなる。また、１つの弾性Ｔ字型構成部材５ｇを、図６（Ｃ）に示す２つの弾性Ｔ字型構成部材５ｇの合計長のものとし、中央から折れ曲がり可能に構成しても良い。
【００６０】
この弾性Ｔ字型構成部材５ｇの先に、例えば飲料の素となるティーバックまたはつなぎ部材（後述図示）と連結する係留部材１０２を設けたり、他のホルダー部２を取り付けたりしても良い。この弾性Ｔ字型構成部材５ｇが取り付けられているホルダー本体部９ａは、例えばゴムとか、軟質のプラスチックスや各種の繊維でできた糸などであっても良い。なお、図６（Ａ）、（Ｂ）のホルダー部２は、キャップ空間３内に収納されているが、キャップ空間３より突出していても良い。また、図６（Ｃ）のホルダー部２は、キャップ空間３より突出しているが、キャップ空間３内に収納されていても良い。
【００６１】
本発明の第５の実施の形態であるセパレート型の機能蓋について、図７、図８，図９を用いて説明する。
【００６２】
図７（Ａ）は、セパレート型でかつ挿入型の機能蓋５Ａを示す断面の斜視図である。基本的には、図２（Ｃ）の引掛け型の機能蓋１Ｇと類似しているので、変更部分のみ説明することとする。蓋本体１の底部１ａには凸部２０を有する凹形状のホルダー支持部６ａが設けられている。このホルダー支持部６ａに、凸部２０と嵌合するように設けられた凹部２０ａを有するホルダー挿入部材６ｂが挿入・はめ込まれ保持される。なお、この凸部２０、凹部２０ａは互いに逆に設けられても良い。このようにホルダー部２を、ホルダー支持部６ａとホルダー挿入部材６ｂからなるセパレート式にすることにより、ホルダー部２の一部が取り外し可能となり、ホルダー部２の掃除がしやすくなる。また、ホルダー挿入部材６ｂだけを代えれば、全体としての形状が異なるホルダー部２とすることが可能となる。また、後述する種々の係留部材１０２にも対応でき、用途が広がるとともに、ホルダー挿入部材６ｂが破損してもホルダー支持部６ａを有する蓋本体１はいつまでも使用することができる。
【００６３】
図７（Ｂ）は、セパレート型でかつ押し込み型の機能蓋５Ｂを示す断面の斜視図である。蓋本体１の底部１ａには、挿入用切込み部６ｄを有するとともにホルダー本体部９ａとなるホルダー支持具６ｃが固定されている。このホルダー支持具６ｃの側壁外側には、弾性切込み部６ｅが設けられている。これはホルダー支持具６ｃに弾性を与えて、係留部材１０２の挿入時にホルダー支持具６ｃが破損するのを防止する。図７（Ａ）に示したホルダー挿入部材６ｂをホルダー保持隙間部６ｆに差し入れることで、ホルダー部２が完成する。ホルダー支持具６ｃは、弾性力でホルダー挿入部材６ｂを保持する働きを有しているとともに、弾性切込み部６ｅおよび挿入用切込み部６ｄを設けたことにより弾力性が得られる。このため、図７（Ａ）に示すような凸部２０は設けても設けなくても良い。このような構成にしたことにより、保持させる係留部材１０２の種類が拡大する効果がある。
【００６４】
図７（Ｃ）は、機能蓋５Ａ及び５Ｂに挿入されるホルダー部２の一部を構成するホルダー挿入部材６ｂの他の例を示している斜視図である。ホルダー挿入部材６ｂのＬ字形状の一方の端部には、ホルダー支持部６ａに設けられた凸部２０と嵌合される凹部２０ａが設けられている。また他端の端部には、例えば飲料の素の容器などと連結する係留部材１０２が接続して設けられている。このように簡単な構成とすることにより、ホルダー挿入部材６ｂを係留部材１０２とともに使い捨てにすることができ、使い勝手がより向上する。なお、図７（Ａ）、（Ｂ）、（Ｃ）に示す機能蓋のホルダー部２は、キャップ空間３より突出していても、またキャップ空間３内に収納されていても良い。なお、図７（Ｃ）の係留部材１０２の代わりに、他のホルダー部２を設けて、その先に係留部材１０２を係留させることもできる。
【００６５】
図８（Ａ）、（Ｂ）、（Ｃ）を用いてセパレート型でかつねじ込み型の機能蓋５Ｃを説明する。
【００６６】
図８（Ａ）は、セパレート型でかつねじ込み型の機能蓋５Ｃを蓋本体１の中央部分を内側から見た平面図である。図８（Ｂ）は、図８（Ａ）のＸ−Ｘ’で切断した側面断面図である。蓋本体１に雌ねじ山部６ｇを有する雌ねじ部６ｈが固定されている。ホルダー本体部９ａの一部を構成するこの雌ねじ部６ｈに、図８（Ｃ）に断面図で示す雄ねじ山部６ｉを有する雄ねじ部６ｊが螺合される。また、ホルダー本体部９ａの一部を構成する雄ねじ部６ｊの端部には、保持部材となるつまみ部６ｋが設けられ、螺合時に回転しやすいようにしてある。このつまみ部６ｋには、例えば飲料の素の容器などと連結する係留部材１０２が取り付けてある。このつまみ部６ｋは、単なる突起状のものであっても良いし、例えば、図７（Ａ）に示すようなホルダー挿入部材６ｂのようなものとしても良い。すなわち、各種のホルダー部２に相当する引掛け部材または保持部材を雄ねじ部６ｊに取り付けることで、引掛け部材（保持部材）付きホルダー部２として使用することも可能である。なお、ホルダー部２は、キャップ空間３より突出していても、またキャップ空間３内に収納されていても良い。
【００６７】
図９（Ａ）、（Ｂ）、（Ｃ）、（Ｄ）を用いて、セパレート型でかつ回転はめ込み型の機能蓋５Ｄについて説明する。
【００６８】
図９（Ａ）は、分かりやすくするために図９（Ｂ）をＸ−Ｘ’で輪切りにし、かつ後述する板状基部６ｐを嵌合させたときの斜視図である。底部１ａに固着された円筒状の基部係止立ち上がり部６ｍの内側に基部係止突出部６ｎが相対して複数設けられている。この基部係止突出部６ｎと、板状基部６ｐと、係止部６ｑとでホルダー部２が構成される。板状基部６ｐは、基部係止突出部６ｎを避けて挿入され、これを回転させることにより板状基部６ｐに設けられた凹部２０ａと基部係止突出部６ｎに設けられた凸部２０とが嵌合して、キャップ空間３の内部に係止される。
【００６９】
図９（Ｃ）は、係止部６ｑが板状基部６ｐに固着されている様子を示す断面図である。なお、この係止部６ｑの形状は、例えば図７（Ａ）に示すホルダー部２と同じ形状としても良い。板状基部６ｐには、凹部２０ａが設けられ、図９（Ｂ）に示すように基部係止突出部６ｎに設けられた凸部２０と嵌合させて板状基部６ｐを確実に係止させるようにしてある。この凹部２０ａ、凸部２０は、板状基部６ｐと基部係止突出部６ｎに対して相互に逆に形成しても効果は同じである。
【００７０】
なお、用途によっては、この凹部２０ａ及び凸部２０は省略しても良い。この場合、２つの基部係止突出部６ｎの少なくとも一方に、底部１ａ方向に板状基部６ｐが回転しすぎて外れるのを防止するためのストッパーの働きを有する垂れ下がり部（図示せず）を設けるのが好ましい。なお、この機能蓋５Ｄは、係止部６ｑの代わりに、各種のホルダー部２に相当する引掛け部材または保持部材を取り付けることで、引掛け部材（保持部材）付きホルダー部２として使用することも可能である。さらに、図９（Ｄ）に示すように、板状基部６ｐに図８（Ｃ）に示すようなつまみ部６ｋを設けて、直接、係留部材１０２を取り付けても良い。これにより、使い捨ても可能となる。なお、このセパレートでかつ回転型のホルダー部２は、キャップ空間３より突出していても、またキャップ空間３内に収納されていても良い。
【００７１】
セパレート型でかつスライドはめ込み型ホルダー５Ｅについて、図１０（Ａ）、（Ｂ）、（Ｃ）、（Ｄ）を用いて説明する。
【００７２】
図１０（Ａ）は、ホルダー部２の一部となる切り欠きストッパー部６ｓを有するスライド挿入ホルダー部６ｒが、ホルダー部２の一部となるスライド挿入枠６ｕに挿入保持される状況を示す蓋本体１の底部１ａの平面図である。ホルダー部２は、スライド挿入ホルダー部６ｒとスライド挿入枠６ｕから構成される。スライド挿入枠６ｕには、スライド挿入ホルダー部６ｒの切り欠きストッパー部６ｓが嵌め合わされる突出ストッパー部６ｔが設けられている。突出ストッパー部６ｔは、スライド挿入枠６ｕの内部側面から突出し、かつ底部１ａに固定されており、切り欠きストッパー部６ｓと嵌合することにより、スライド挿入ホルダー部６ｒが脱落するのを防止している。
【００７３】
また、図１０（Ｃ）の斜視図で示すように、スライド挿入ホルダー部６ｒにＥ字型の形状に切り込みを入れて、Ｅ字型のスライド挿入ホルダー部６ｖとしても良い。Ｅ字型の中央の引掛け片部６ｙに、係留部材１０２を引掛けたり、さらには上述の各種ホルダー部２を設けたりしても良い。さらに、図１０（Ｄ）の斜視図で示すように、スライド挿入ホルダー部は、角ブロック状の中央部をくり抜いてコの字型の空隙部を設け、中央部の厚みを薄くして板バネ状の弾性を持たせた引掛け片部６ｙを設けたくりぬき型のスライドホルダー部６ｚとしても良い。このくりぬき型のスライドホルダー部６ｚのコの字内側には、引掛け片部６ｙに接するように保持突出部６ｗを設けてある。引掛け片部６ｙは、持ち上げることによりタブ等を引っ掛け、保持突出部６ｗで外れないように保持できる。これにより、引掛け片部６ｙと保持突出部６ｗとが接触している部分より奥の方でタブ部等を確実に保持させることができる。
【００７４】
図１０（Ａ）、（Ｂ）、（Ｃ）では、スライド挿入ホルダー部６ｒまたはＥ字型のスライド挿入ホルダー部６ｖを、係留部材１０２のタブ部として利用することが可能である。さらに、タブ部としてではなく、スライド挿入ホルダー部６ｒ、Ｅ字型のスライド挿入部６ｖに、各種のホルダー部２に相当する引掛け部材または保持部材を取り付けることで、引掛け部材（保持部材付き）ホルダー部２として使用することも可能である。なお、Ｅ字型のスライド挿入部６ｖの中央部を薄くして、引掛け片部６ｙとしての機能をもたせ、Ｅ字型の引掛け片部６ｙと平行している外枠部内側に保持突出部６ｗを設けても良い。また、Ｅ字型とすることにより、外枠部に弾性を持たせている。これら各種セパレート型でかつスライドはめ込み型のホルダー部２は、キャップ空間３に収納されていても、またキャップ空間３内より突出していても良い。
【００７５】
本発明の第６の実施の形態である磁石を利用した機能蓋６について、図１１（Ａ）、（Ｂ）、（Ｃ）、（Ｄ）を用いて説明する。
【００７６】
図１１（Ａ）は、機能蓋６の要部分解断面図で、底部１ａに磁石からなる固定側磁石ホルダー留め具７ａが固着されている。この固定側磁石ホルダー留め具７ａの対向面側の磁気に対して、その反対の磁気を対向面側に帯びた磁石からなる取り外し側磁石ホルダー留め具７ｂに係止部７ｃが保持されている。ホルダー部２は、固定側磁石ホルダー留め具７ａと、取り外し側磁石ホルダー留め具７ｂとから構成される。
【００７７】
図１１（Ｂ）はこの係止部７ｃの一つの例示で、取り外し側磁石ホルダー留め具７ｂにピン状フック部材７ｄが取り付けられている。このフック部材７ｄは、波形にしてあり、一方の端部は取り外し側磁石ホルダー留め具７ｂに固定され、波形の部分で取り外し側磁石ホルダー留め具７ｂの面と接触して係留部材１０２の保持が可能となるようにしてある。このピン状フック部材７ｄは、普通のプラスチックスでは幅広にして強度を保持させる。また、細くする場合は強化プラスチックスまたは金属とするのが好ましい。強化プラスチックスまたは金属製とすることにより、より強いバネ力で、保持させることが可能となる。その材料は、用途によって選択をすればよい。
【００７８】
図１１（Ｃ）は、取り外し側磁石ホルダー留め具７ｂの他の例示である。すなわち、取り外し側磁石ホルダー留め具７ｂに、はめ込み部７ｅを設けて係止部７ｃを取り付けることができるようにしても良い。また、図１１（Ｄ）に示すように、基材７ｆに磁石７ｇを埋め込んで、基材７ｆに係止部７ｃを固着させたものを用いて、固定側磁石ホルダー留め具７ａと磁気的に結合するようにしても良い。なお、係留部材１０２の代わりに各種のホルダー部２に相当する引掛け部材または保持部材を取り付けることで、係止部７ｃを単なる係止部材としての働きとしてではなく、引掛け部材（保持部材）付きホルダー部２として使用することも可能である。なお、磁石利用機能蓋のホルダー部２は、キャップ空間３より突出していても、またキャップ空間３内に収納されていても良い。また、両留め具７ａ、７ｂのいずれか一方を磁石に吸着する単なる金属部材としても良い。
【００７９】
本発明の第７の実施の形態である割り込み型の機能蓋について、図１２、図１３，図１４を用いて説明する。
【００８０】
図１２（Ａ）、（Ｂ）、（Ｃ）は、割り込み型でかつ椀型の機能蓋７Ａを説明する図である。図１２（Ａ）は、割り込み型の機能蓋７Ａの要部平面図で切り込み部８ａが設けられ、複数の分割片部８ｂが形成されたホルダー部２が示されている。図中切り込み部８ａは、４カ所のみだが必要に応じて５カ所、６カ所と増加させても良いし、減少させて３カ所、２カ所としても良い。図１２（Ｂ）は、図１２（Ａ）のＸ−Ｘ’の断面図で、底部１ａに複数の分割片部８ｂが固着されている。分割片部８ｂ間には、保持隙間部８ｃが設けられ、切込み部８ａが交わる中央部分の円形孔から挿入されたものを保持することができる。
【００８１】
図１２（Ｃ）は、この割り込み型でかつ椀型の機能蓋７Ａに球状のタブ部１０１が保持されている様子を示している。タブ部１０１は、分割片部８ｂを押し分けて圧入されることとなるので、形状は挿入時の抵抗が小さくなるように滑らかな面を有するような形状が好ましい。図１２（Ｃ）では、球状のタブ部１０１を示したが、楕円形でも菱形等であっても良い。
【００８２】
図１２（Ｄ）は、割り込み型でかつ椀型の機能蓋７Ｂを示す斜視図で、底部１ａに椀型保持部８ｄが配置されている。この椀型保持部８ｄの先端側に内部の保持隙間部８ｃにつながる挿入隙間部８ｅが設けられている。内部の保持隙間部８ｃは、半球状の空間とされている。この椀型保持部８ｄは、ゴムまたはプラスチックス等の変形可能で弾力性のある材料を用いるのが好ましい。これは、余裕のある空間を持たせた保持隙間部８ｃを確保することができる椀型をしている。したがって、挿入隙間部８ｅから挿入される部材の形状は、球状や角状など等であっても保持可能であり、形状による制限が極めて小さくなる。
【００８３】
図１３（Ａ）は、割り込み型でかつピン型の機能蓋７Ｃを示す断面図である。底部１ａに複数の「くの字」型をした保持ピン部材８ｆが内側を向いて設けられている。この保持ピン部材８ｆは、図１２（Ａ）の分割片部８ｂに類似した位置に配置、固着されている。保持ピン部材８ｆは、棒状であるためその太さも自由に加減でき、保持隙間部８ｃに保持されるタブ部１０１の形状に制限されることが極めて少ない。
【００８４】
図１３（Ｂ）は、割り込み型の機能蓋７Ｄを示す要部断面図である。円弧状保持ピン部材８ｇが対向するように底部１ａに固定されている。これは図１２（Ａ）の平面図中、対向する二つの分割片部８ｂを削除した形に類似した形状で、この弾性を持たせた円弧状保持ピン部材８ｇの対向した隙間の部分が保持隙間部８ｃとなる。この保持隙間部８ｃには、後述の保持突起部８ｍがきっちりと嵌合して、確実に保持される構造としてある。なお、円弧状保持ピン部材８ｇの代わりに、椀型形状にしても良い。
【００８５】
図１３（Ｃ）は、割り込み型でかつピン型の機能蓋７Ｅを示す要部断面図で、底部１ａに複数の「くの字」型をしたバネ型保持ピン部材８ｈの先端が外側を向き、かつ屈曲部８ｉで近接対向するように固定配置されている。図中では便宜上２個のみ図示したが、さらに３個、４個、５個など複数のバネ型保持ピン部材８ｈを設けることができる。バネ型保持ピン部材８ｈは、「くの字」型の屈曲部８ｉを対向させることにより挿入隙間部８ｊが形成される。これにより、挿入が簡単となるとともにバネの弾力性を有する保持隙間部８ｃで保持が確実となる。
【００８６】
図１４（Ａ）は、この割り込み型の機能蓋７Ａ、７Ｂ、７Ｃ、７Ｄ、７Ｅに用いられる係止部８ｐを示す図である。基部８ｋは、角形または円形の板状またはブロック状で、一方の側に、押し込みによって保持隙間部８ｃに保持される球状の保持突起部８ｍが配置され、他方の側に、ピン状フック部材８ｎが設けられている。この保持突起部８ｍは、硬い材質であっても差し支えないが、保持隙間部８ｃから簡単に脱落しない程度の弾性を持った柔らかさにすれば、挿入もしやすくなりより好ましい。なお、このピン状フック部材８ｎの代わりに、各種のホルダー部２に相当する引掛け部材または保持部材を取り付けることで、引掛け部材（保持部材）付きホルダー部２として使用することも可能である。
【００８７】
図１４（Ｂ）は、係止部８ｐがタブ部１０１となる例を示す図である。すなわち、保持突起部８ｍが一方の側に配置され、他方の側には、例えば飲料用のティーバッグ１００等を有する係留部材１０２の一部、すなわち図１４（Ａ）の基部８ｋと保持突起部８ｍに相当する部分がタブ部１０１となったものである。これにより、タブ部１０１となる係止部８ｐの取り換え、使い捨てが可能となる利便性が得られる。なお、図１３等に示す割り込み型の機能蓋７Ａ，７Ｂ、７Ｃ、７Ｄ、７Ｅのホルダー部２は、キャップ空間３より突出していても、またキャップ空間３内に収納されていても良い。
【００８８】
図１、図２、図３で示す引っ掛け型の機能蓋１Ａ，１Ｂ，１Ｃ、１Ｄ、１Ｅ、１Ｆ、１Ｇ、１Ｈ、１Ｊ、１Ｋ、１Ｌ、図４で示す突き刺し型の機能蓋２Ａ、２Ｂ、２Ｃ、２Ｄ、図５で示すピン型の機能蓋３Ａ、３Ｂ、３Ｃ、３Ｄ、図６で示す吊り下げ型の機能蓋４Ａ、４Ｂ、４Ｃ、図７、図８、図９、図１０で示すセパレート型の機能蓋５Ａ、５Ｂ、５Ｃ、５Ｄ、５Ｅ、図１１で示す磁石利用の機能蓋６、図１２、図１３で示す割り込み型の機能蓋７Ａ、７Ｂ、７Ｃ、７Ｄ、７Ｅは、ホルダー部２全体またはその一部を蓋本体１に予め固着した例を示してある。これに対して、図１５（Ａ）、（Ｂ）、（Ｃ）は、ホルダー部２を蓋本体１の後付けするもので、ホルダー部２は基部９ｂとホルダー本体部９ａとから構成されている。図１５（Ａ）は、基部９ｂと連結している本体部９ａが、固着部２ａで蓋本体１の内側に後付で固定されている様子を示す断面図である。
【００８９】
基部９ｂは、図１５（Ｂ）、（Ｃ）に示すように、ホルダー本体部９ａより幅広で、平板状をしている。基部９ｂは、固着部２ａで蓋本体１と固着される。基部９ｂに対するホルダー本体部９ａの固着位置は、図１５（Ｂ）のように、基部９ｂの中心部付近であっても良いし、また図１５（Ｃ）に示すように、中心からずれていても良い。この位置は用途に応じて変更すれば良い。なお、図１５（Ｂ），（Ｃ）では、基部９ｂは円形で表示してあるが、この形状は楕円形でも、角形でも、さらには星形等であっても差し支えない。
【００９０】
この基部９ｂとホルダー本体部９ａは、材質がプラスチックス同士の場合、一体成形しても良いし、接着剤で接着したり、熱溶着や超音波溶着しても良い。一体成形では、射出成形や、注形成形や、圧縮成形などを用いるのが好ましい。また、金属とプラスチックスの場合は、はめ込みや、溶着、一体成形などが好ましい。金属同士の場合は、はめ込みや、溶接または鋳造等で成型すると良い。ホルダー本体部９ａは、キャップ空間３より突出していても、またキャップ空間３内に収納されていても良い。
【００９１】
本発明の第８の実施の形態として吸圧着型の機能蓋について、図１６を用いて説明する。
【００９２】
図１６（Ａ）、（Ｂ）は、吸圧着型の機能蓋８Ａを示す断面図である。凹形状をした押込み内蓋ホルダー部１０ａは、蓋本体１の壁部１ｂの内周面に、容器本体側のボトルネジ山部１０ｄと螺合するように設けられたネジ山部１０ｂを擦るようにしてキャップ空間３に挿入される。すなわち、容器本体となるボトル部１０ｃの口の部分に破線で示してある押込み内蓋ホルダー部１０ａを載置し、ボトル１０ｃに蓋をする要領で回転させながら、ボトル部１０ｃと合体させて圧入することができる。ホルダー部２は、主に押し込み内蓋ホルダー部１０ａとネジ山部１０ｂとで構成される。この押込み内蓋ホルダー部１０ａは、係留部材１０２のタブ部１０１として使い捨てとしても良いし、また図１６（Ｂ）のように、例えばピン状フック部材１０ｅを設けて、係留部材を保持させる機能を持たせることもできる。この押込み内蓋ホルダー部１０ａは、圧入するだけなので弾力性および変形復元性のある材料、例えばフッ素樹脂、ポリエチレン樹脂またはポリウレタン樹脂などが好ましい。
【００９３】
図１６（Ｃ）、（Ｄ）は、吸圧着型の機能蓋８Ｂを示す断面図である。図１６（Ｃ）は、図１６（Ａ）と同様な凹形状をしたねじ込み内蓋ホルダー部１０ｆの外周部に、蓋本体１の壁部１ｂに設けたネジ山部１０ｂに合うようにねじ山突起部１０ｇが設けられている。このねじ込み内蓋ホルダー部１０ｆは、図１６（Ａ）の押し込み内蓋ホルダー部１０ａと同様にボトル部１０ｃ（図示せず）の口の部分に載置して、ボトル部１０ｃまたは機能蓋８Ｂを回転させながら蓋をする要領で嵌め込み、蓋本体１に合体させる。この機能蓋８Ｂのホルダー部２は、ねじ込み内蓋ホルダー部１０ｆと、ネジ山部１０ｂとで主に構成される。このねじ込み内蓋ホルダー部１０ｆは、係留部材１０２のタブ部１０１として使用できる。また、図１６（Ｄ）のように、例えばピン状フック部材１０ｅを設けて、ホルダー部２の一部として使用し、係留部材を保持させることもできる。なお、このねじ込み内蓋ホルダー部１０ｆの材料は、上述の押込み内蓋ホルダー部１０ａに使用した材料とは異なり、ねじ込みをするので硬質の材料、例えば金属や硬質プラスチックスなどが好ましい。
【００９４】
図１６（Ｅ）、（Ｆ）は、吸圧着型の機能蓋８Ｃを示す断面図である。図１６（Ｅ）は、図１６（Ａ）と同様に、蓋本体１の壁部１ｂに設けたネジ山部１０ｂに合うように、板状をした成形押し込み内蓋部１０ｈには、ねじ山突起部１０ｇが設けられている。この成形押し込み内蓋部１０ｈには、ボトル部１０ｃ（図示せず）の内径に嵌合してボトル部１０ｃの内容物が漏洩しないように、弁の働きをする弁状突起部１ｃが一体に形成されている。この成形押し込み内蓋部１０ｈは、上述の押し込み内蓋ホルダー部１０ａと同様にボトル１０ｃの口の部分に載置して、ボトル部１０ｃまたは蓋本体１を回転しながら蓋をする要領で嵌め込み、蓋本体１に合体させる。また、図１６（Ｃ）のように、成形押し込み内蓋部１０ｈをねじ山部１０ｂに合わせて回転させながら嵌め込んでも良い。なお、図１６（Ａ）の機能蓋８Ａ、図１６（Ｃ）の機能蓋８Ｂおよび図１６（Ｅ）で示す成型押込み内蓋部１０ｈで、係留部材１０２の代わりに各種のホルダー部２に相当する引掛け部材または保持部材を取り付けることで、引掛け部材（保持部材）付きホルダー部２として使用することも可能である。
【００９５】
また、図１６（Ｆ）に示すように、成形押し込み内蓋部１０ｈに、固着部２ａでホルダー本体部９ａを固着しても良い。なお、この固着の方法には、図１５（Ａ）、（Ｂ）、（Ｃ）で示した方法も採用できる。このような構成にすると、ホルダー部２が破損をしても蓋本体１を傷つけることがなく、また用途によって取り換えが可能となり、蓋の利用幅が拡大できる。なお、押し込み内蓋ホルダー部１０ａ、ねじ込み内蓋ホルダー部１０ｆおよび成形押し込み内蓋部１０ｈは、底部１ａに固着させて用いてもよく、これにより脱落することがなく、またより密閉性を確保することができる。
【００９６】
図１７（Ａ）、（Ｂ）は、吸圧着型でかつ吸盤型の機能蓋８Ｄを示す断面図である。図１７（Ａ）は、底部１ａの平らな部分に、ホルダー部２のカギ型引掛け部１０ｉが設けられた吸盤状の吸盤部１０ｊが吸着、保持されている様子を例示している。このホルダー部２のカギ型引掛け部１０ｉは例示であって、各種ホルダー部２に相当する引掛け部材または保持部材を取り付けることで、引掛け部材（保持部材付き）ホルダー部２として使用しても良い。さらに、図１６（Ｃ）のように、この吸盤部１０ｊをタブ部とし、ホルダー部２を使い捨てにすることもができる。なお、この吸盤部１０ｊでカギ型引掛け部１０ｉの代わりに、各種のホルダー部２に相当する引掛け部材または保持部材を取り付けたり、また引掛け部材（保持部材）付きホルダー部２として使用したりすることも可能である。
【００９７】
本発明の第９の実施の形態として、孔利用型の機能蓋について、図１８を用いて説明する。
【００９８】
図１８（Ａ）、（Ｂ）、（Ｃ）、（Ｄ）、（Ｅ）、（Ｆ）は、炊飯器や湯沸かし器等の蓋およびそれに用いる部材を示す図である。図１８（Ａ）は、蓋の断面図で、蓋表部１１ａの裏側に蓋裏部１１ｂが設けられ、取手部１１ｃで蓋の開閉をする。図１８（Ｂ）は、図１８（Ａ）の蓋を裏側から見た平面図で、蒸気抜け穴部１１ｄが複数設けられている。なお、この蒸気抜け穴部１１ｄを避けて、平面の部分に上述の各種ホルダー部２を取り付けて利用することができる。
【００９９】
図１８（Ｃ）、（Ｄ）に示すようなＴ字型の形状をした部材を、蒸気抜け穴部１１ｄに嵌め込んで、ホルダー部２を有する機能蓋９Ａとして利用することができる。Ｔ字型の形状をした部材のホルダー部２を有する機能蓋９Ａのホルダー部２は、Ｌ字型の本体部９ａと弾性片部１１ｆより構成され、折れ曲がった一方の端部となる挿入片部１１ｅが蒸気抜け穴部１１ｄに挿入される。挿入片部１１ｅの内側には滑り止めのために、表面を凹凸とした滑り止め部１１ｈが設けられている。
【０１００】
挿入片部１１ｅの反対側には挿入片部１１ｅを挿入する際に変形し、挿入後復元して蒸気抜け穴部１１ｄにホルダー部２を係止させる弾性片部１１ｆが設けられている。挿入片部１１ｅとは異なる他方の端部にはカギ型引掛け部１１ｇが設けられている。なお、図１８（Ｄ）は、カギ型引掛け部１１ｇの代わりに、突起状の凸部１１ｉとし、係留部材１０２を設けて、つなぎ部材（後述図示）と連結して使用しても良いし、また、タブ部として使い捨て可能としても良い。
【０１０１】
また、図１８（Ｅ）に示すように、馬蹄形をしたビス止め片部１１ｊにカギ型引掛け片部１１ｋを設けて、ビス１１ｍで裏蓋部１１ｂに固着させて、機能蓋９Ｂとしても良い。また、図１８（Ｆ）に示すように引掛け片部１１ｋの代わりに係留部材１０２を設けて使い捨て可能な部材としても良い。このビスは、取り外し可能なねじ釘が好ましい。また、ビス止め片部１１ｊの形状は、馬蹄形の代わりに円形、角形等としても良い。なお、機能蓋９Ａおよび９Ｂには、各種のホルダー部２に相当する引掛け部材または保持部材を取り付けることで、また引掛け部材（保持部材）付きホルダー部２として使用することも可能である。
【０１０２】
次にホルダー部２に保持される部材のタブ部１０１および係留部材１０２について、図１８から図２１を用いて説明する。
【０１０３】
図１９（Ａ）は、係留部材１０２のつなぎ部１０１ａと同一の材質の糸状または線状の端部を輪状にしたタブ部１０１Ａである。図１９（Ｂ）は、タブ部１０１Ｂをリング状にあらかじめ形成しておき、これに係留部材１０２のつなぎ部１０１ａを結合させたものである。なお、このリング状の部材の一部を欠いて、バネ性を持たせるとより好ましい。図１８（Ｃ）は、球状をしたタブ部１０１ｃに係留部材１０２のつなぎ部１０１ａを結合させたタブである。これらの係留部材１０２のつなぎ部１０１ａとしては、繊維製の糸や紐、ゴムおよび金属線などを用いることができる。
【０１０４】
タブ１０１Ａは、機能蓋１Ａ、１Ｂ、１Ｃ、１Ｄ、１Ｅ、１Ｆ、１Ｈ、１Ｊ、１Ｋ、２Ａ、２Ｂ、２Ｃ、２Ｄ、３Ａ、３Ｂ、３Ｃ、３Ｄ、４Ａ、４Ｂ、５Ａ、５Ｂ、５Ｄ、５Ｅ、６、８Ａ、８Ｂ、８Ｄに適用するのが好ましい。タブ１０１Ｂは、機能蓋１Ａ、１Ｂ、１Ｃ、１Ｄ、１Ｅ、１Ｆ、１Ｈ、１Ｊ、１Ｋ、２Ａ、２Ｂ、２Ｃ、２Ｄ、３Ａ、３Ｂ、３Ｃ、３Ｄ、４Ａ、４Ｂ、５Ａ、５Ｂ、５Ｄ、５Ｅ、６、８Ａ、８Ｂ、８Ｄに適用するのが好ましい。タブ１０１Ｃは、機能蓋７Ａ、７Ｂ、７Ｃ、７Ｄ、７Ｅに使用するのが好ましい。なお、機能蓋４Ｃ、５Ｃ、８Ｃ、９Ａ、９Ｂは上記に準じて使用することができる。
【０１０５】
図２０（Ａ）、（Ｂ）、（Ｃ）は、紙またはプラスチックスあるいは金属性の薄板状のタブ１０１Ｄ、１０１Ｅ、１０１Ｆを示している概念図である。
【０１０６】
図２０（Ａ）は、タブ部１０１Ｄが三角形で、切取り部１０３がミシン目または厚みを他の部分より薄くして、切り取りしやすくしてある。このタブ部１０１Ｄには、係留部材１０２の一部を構成するつなぎ部１０１ａを介して、図示しないが必要とする部材例えば飲料の素となるティーバッグなどが保持される。なお、切取り部１０３の働きは、ここから切り取ることにより、例えばキャップ空間３の内側に押し込みまたはねじ込み等によってそのまま嵌め込むこともできるようになる。タブ部１０１Ｄの中心部には、切込み部１０４が設けられ、この部分を突き刺して保持させることができる。この切り込み部１０４の切り込み数は、ホルダー部２の保持部材の形状または保持される部材等の部位の形状などを考えて任意に設定すればよい。
【０１０７】
図２０（Ｂ）、（Ｃ）は、タブ１０１Ｄの他の形状の例示である。図２０（Ｂ）は、タブ部１０１Ｅが四角形をしており、四隅に切取り部１０３が設けられている。切込み部１０４が中央部部分に設けられているのは、図２０（Ａ）と同じ理由である。図２０（Ｃ）は、円形のタブ部１０１Ｆに切取り部１０３および切込み部１０４が設けてある。なお、図示しないが、六角形や楕円形等の形状であっても差し支えない。このタブ部１０１Ｄ、１０１Ｅ、１０１Ｆには、機能蓋１Ｃ、１Ｄ、１Ｆ、１Ｇ、１Ｋ、２Ａ、２Ｂ、２Ｃ、２Ｄを使用するのが好ましい。
【０１０８】
図２１（Ａ）、（Ｂ）、（Ｃ）は、つなぎ部１０１ａの端部にタブ部１０１Ａから１０１Ｆを保持することができる保持部材３０ａ、３０ｂ、３０ｃが設けられた係留部材１０２Ａ、１０２Ｂ、１０２Ｃの各要部を示す斜視図である。図２１（Ａ）は、つなぎ部１０１ａの先端に、凹部、凸部で噛み合うようになって嵌合する、例えば「はと目パンチかしめ機」のかしめ部（図示せず）のように構成された保持部材３０ａを有する係留部材１０２Ａである。図２１（Ｂ）は、つなぎ部１０１ａにリングの一部を切り欠いたリング状の保持部材３０ｂが設けられた係留部材１０２Ｂである。図２１（Ｃ）は、抑え部３０ｄで、つなぎ部１０１ａにリングの大きさを調節できるバネ式の保持部３０ｃが設けられた係留部材１０２Ｃである。保持部材３０ａおよび３０ｂには、図１９（Ａ）、（Ｂ）、および図２０（Ａ）、（Ｂ）、（Ｃ）のタブ部１０１Ａ、１０１Ｂ、１０１Ｄ、１０１Ｅ、１０１Ｆを保持させるのに好ましい。保持部材３０ｃには、太さのある棒状または筒状をした部材（図示せず）を保持させるのが好ましい。なお、保持部材３０ａは、洗濯挟みと同様なものであっても良い。
【０１０９】
図２２（Ａ）、（Ｂ）、（Ｃ）、（Ｄ）に、係留部材１０２の一部を構成するとともに、その先端に保持される部材の斜視図を示す。図２２（Ａ）、（Ｂ）は、飲料の味付けとなる例えば紅茶の葉などが入っている係留部材の一部となる係留容器１００である。この係留容器１００は、紙または細いプラスチックス繊維で作った合成紙ないしは細い金属線を重ねて、網目の密度が高くなるように作られている。この係留容器１００を、キャップ空間３に配置されたホルダー部２を介して保持させ、ボトル中の液体中に投入することにより、飲料に味付けをすることができる。なお、図２２（Ａ），（Ｂ）は、用途による形状の違いのみである。
【０１１０】
図２２（Ｃ）は、深底の乾燥しにくい容器などの水分を吸収除去するための係留部材の一部となる吸収部材２００で、係留部材１０２全体を一部移動させるものである。この吸収部材２００は、スポンジ状の複数の襞を持たせて、表面積が大きくなるようにしてある。この吸収部材２００は、海綿や、フェルト、あるいは合成樹脂製の多孔質部材などを用いると良い。図２２（Ｄ）は、網製の袋状をした係留容器３００を有する係留部材１０２で、係留容器３００は金属またはプラスチックスで作られ、固形のもの例えば活性炭などの脱臭剤を入れる容器として好ましい。
【０１１１】
次に、通常の蓋およびその蓋が取り付けられる容器の代表的な例を、図２３を用いて説明する。
【０１１２】
図２３（Ａ）は、ボトルなどのキャップ部すなわち蓋本体１を示す斜視図で、蓋本体１には密閉を確保するために図１（Ａ）で説明した弁状突起部１ｃに相当する内栓部４０ａがある。図２３（Ｂ）は、図２３（Ａ）のＸ−Ｘ’で切断した断面図である。図２３（Ｃ）は、他のボトルなどに使用される蓋で、図２３（Ａ）、（Ｂ）とは異なり、内栓部４０ａがなく、コルク等で作られたパッキン部４０ｂが、密閉を確保するための働きをしている。これらの蓋本体１に、ホルダー部２を溶着、接着等で取り付けて、機能蓋を形成することができるが、蓋本体１の形成時に併せて一体的にホルダー部２を設けるようにしても良い。
【０１１３】
図２３（Ｄ）は、携帯可能な容器例えば弁当箱とかタッパー容器の断面図である。上蓋部４０ｃは、下箱部４０ｄに留め具部４０ｅで係止されている。この上蓋部４０ｃにホルダー部２を取り付けて利用する。図２３（Ｅ）は、やかんや急須、鍋などの容器の蓋を示す断面図で、蓋部４０ｆ下部に、はめ合わせ部４０ｇが設けられている。この蓋部４０ｆの内側にホルダー部２を取り付け利用する。図２３（Ｆ）は、例えば醤油差しに見られるような差し込みキャップの断面図である。外側にねじ山部４０ｈがあり、内側の内面部４０ｉは、平らな面を有しているので、底部１ａにではなく、この内面部４０ｉに上述の各種のホルダー部２を取り付けても良い。
【０１１４】
上述したように、本発明の機能蓋は、極めて広範囲に適用できることを示したが、本発明の応用例を図２４（Ａ）、（Ｂ）、（Ｃ）を用いて説明する。
【０１１５】
図２４（Ａ）は、容器となる弁当箱の蓋５０ａに、ホルダー部２となるピン状フック部５０ｂが複数配置され、このピン状フック部５０ｂに活性炭の入った袋５０ｃが挟まれている。この結果、弁当箱から発生する異臭を除去することができる。なお、このピン状のフック部５０ｂの代わりに、引掛け型の機能蓋１Ｅで図２（Ａ）に示すような噛み合わせを有する形状としたり、割り込み型の機能蓋７Ｄで図１３（Ｂ）に示すような形状としたりしても良い。
【０１１６】
図２４（Ｂ）は、底部１ａに設けられたホルダー部２の先端は、引掛け型の機能蓋１Ｌ（図３（Ｃ）参照）に示すような構造をした切欠き部５０ｆで弾性を持たせた係止部５０ｄを有している例を示している。この例では係止部５０ｄの中心部に設けられた穴にストロー部５０ｅが保持されている。これにより、蓋本体１を外すと、ストロー部５０ｅが同時に持ち上がってきて、内容物を確実に吸引、取り出すことができる。なお、ストロー部５０ｅに蛇腹の模様がある場合、これに掛けるとなお確実に保持できる。
【０１１７】
図２４（Ｃ）は、蓋本体１が紛失しないように考案された部材を示す斜視図である。これは吊り下げ型の機能蓋４Ｃであり、図６（Ｃ）に類似する構造をしている。係留部材１０２の先端に、図６（Ｃ）で示したＴ字型構成部材５ｇと同様な形状を有するＴ字型構成部材５０ｇが配置され、ボトル４００の入り口部分の狭くなった部位にそのＴ字型構成部材５０ｇが引掛かかり、蓋本体１をボトル４００に係留させている。
【０１１８】
本発明の実施の形態に係るホルダー部２としては、金属またはプラスチックスのいずれも用いることができる。金属にあっては、銅または銅合金、アルミニウムまたはアルミニウム合金さらにはアルマイト処理材、鉄およびステンレスさらにはチタンまたはチタン合金などが使用可能である。さらには、白金、金、銀の貴金属類や亜鉛、錫等の卑金属類の単体、またはそれらがめっきされた材料や、塗装の施された金属材も利用できる。またさらには、形状記憶合金や形状記憶のプラスチックスなども利用可能である。
【０１１９】
プラスチックスでは、熱硬化性の樹脂あるいは、熱可塑性の樹脂ともホルダー部２の用途によって選択使用可能である。具体的には、熱硬化性樹脂では、エポキシ樹脂、メラミン樹脂、尿素樹脂、フェノール樹脂、ポリエステル樹脂などがある。熱可塑性樹脂では、ポリエチレン系樹脂、ポリカーボネート系樹脂、ポリプロピレン系樹脂、アクリル系樹脂、塩化ビニル系樹脂、ポリアミド系樹脂、ポリスチレン系樹脂、ポリアクリロニトリル系樹脂などが使用可能である。さらには、弾性を持たせる樹脂として、シリコン樹脂、ポリウレタン系樹脂、ポリイソプレン系樹脂、ポリブタジェン系樹脂などが適用可能である。
【０１２０】
ホルダー部２を蓋本体１に固定したり、ホルダー部２自体を形成したりするには、溶融による溶着、超音波溶着、接着剤等による接着が可能である。また、射出成形、注型成形などで一体成形をしても良い。さらに、本発明の各機能蓋では、蓋本体１に設けることができる各種のホルダー部２の保持部材は相互に転用することが可能である。
【図面の簡単な説明】
【０１２１】
【図１】本発明の第１の実施の形態に係る引掛け型の機能蓋を示す斜視断面図および断面図である。
【図２】本発明の第１実施の形態に係る他の引掛け型の機能蓋を示す断面図である。
【図３】本発明の第１の実施の形態に係るさらに他の引掛け型の機能蓋を示す断面図である。
【図４】本発明の第２の実施の形態に係る突き刺し型の機能蓋を示す断面図である。
【図５】本発明の第３の実施の形態に係るピン型の機能蓋を示す断面図である。
【図６】本発明の第４の実施の形態に係る吊り下げ型の機能蓋を示す断面図である。
【図７】本発明の第５の実施の形態に係るセパレート型でかつ挿入型の機能蓋を示す斜視断面図である。
【図８】本発明の第５の実施の形態に係るセパレート型でかつねじ込み型の機能蓋を示す平面図および断面図である。
【図９】本発明の第５の実施の形態に係るセパレート型でかつ回転はめ込み型の機能蓋を示す斜視図および断面図である。
【図１０】本発明の第５の実施の形態に係るセパレート型でかつスライドはめ込み型の機能蓋を示す平面図や斜視図である。
【図１１】本発明の第６の実施の形態に係る磁石利用の機能蓋を示す断面図および斜視図である。
【図１２】本発明の第７の実施の形態に係る割り込み型でかつ椀型の機能蓋を示す平面図、断面図および斜視図である。
【図１３】本発明の第７の実施の形態に係る割り込み型でかつピン型の機能蓋を示す断面図である。
【図１４】本発明の第７の実施の形態に係る割り込み型の機能蓋に用いる部材を示す断面図である。
【図１５】本発明に係るホルダー部の取り付け部材に関する断面図や斜視図である。
【図１６】本発明の第８の実施の形態に係る吸圧着型の機能蓋を示す断面図である。
【図１７】本発明の第８の実施の形態に係る吸圧着型でかつ吸盤型の機能蓋を示す断面図である。
【図１８】本発明の第９の実施の形態に係る孔利用型の機能蓋を示す断面図、平面図および斜視図である。
【図１９】本発明の機能蓋に利用されるタブ部および係留部材を示す図である。
【図２０】本発明の機能蓋に利用される他のタブ部および係留部材を示す図である。
【図２１】本発明の機能蓋に利用されるつなぎ部の端部にタブ部を保持することができる保持部材が設けられた係留部材の要部斜視図である。
【図２２】本発明の機能蓋に利用される係留部材の一部を構成すると共に、その先端に保持される部材の斜視図である。
【図２３】本発明の機能蓋に利用される通常の蓋またはその蓋が取り付けられる容器を例示する図である。
【図２４】本発明の機能蓋の応用例を示す図である。
【符号の説明】
【０１２２】
１Ａ〜１Ｌ                                      機能蓋
１                                              蓋本体
１ａ                                            底部
１ｂ                                            壁部
２Ａ，２Ｂ、２Ｃ、２Ｄ                          機能蓋      
２                                              ホルダー部
２ａ                                            固着部
２ｂ                                          挿入用切り込み部
２ｃ                                            挟み部
２ｄ                                            保持部
３Ａ，３Ｂ，３Ｃ、３Ｄ                          機能蓋
３                                              キャップ空間
３ａ                                          ヤジリ形突刺し部
３ｃ                                            ノコ歯引掛け部
３ｅ                                            球状突刺し部
３ｈ                                            釣り針型部
４Ａ，４Ｂ，４Ｃ、５Ａ，５Ｂ，５Ｃ，５Ｄ，５Ｅ  機能蓋
６、７Ａ、７Ｂ、７Ｃ、７Ｄ、７Ｅ                機能蓋
８Ａ，８Ｂ、８Ｃ、９Ａ、９Ｂ                    機能蓋
１１ｅ                                          挿入片部
【図１】
2006176169.tif 000003
【図２】
2006176169.tif 000004
【図３】
2006176169.tif 000005
【図４】
2006176169.tif 000006
【図５】
2006176169.tif 000007
【図６】
2006176169.tif 000008
【図７】
2006176169.tif 000009
【図８】
2006176169.tif 000010
【図９】
2006176169.tif 000011
【図１０】
2006176169.tif 000012
【図１１】
2006176169.tif 000013
【図１２】
2006176169.tif 000014
【図１３】
2006176169.tif 000015
【図１４】
2006176169.tif 000016
【図１５】
2006176169.tif 000017
【図１６】
2006176169.tif 000018
【図１７】
2006176169.tif 000019
【図１８】
2006176169.tif 000020
【図１９】
2006176169.tif 000021
【図２０】
2006176169.tif 000022
【図２１】
2006176169.tif 000023
【図２２】
2006176169.tif 000024
【図２３】
2006176169.tif 000025
【図２４】
2006176169.tif 000026